(57)【要約】【課題】良好な透過性、長周期の波に対する高い波力低減効果、杭の引抜力の軽減、塩害防止効果を得る。【解決手段】海水の透過を許す支持架台１１によって海面３下の所定水深に支持された水平板１２と、水平板１２の波下側の端部１２ａの近傍に立設され波の進行方向Ａとほぼ直交し且つ上端部１３ｂが海面３上に突出する鉛直板１３と、鉛直板１３の海面３上に突出した上端部１３ｂから水平板１２と同じ方向に庇状に延ばされた天板１５とを具備する。水平板１２の波下側の端部１２ａと鉛直板１３の下端部１３ａとの間に隙間１４が設け、天板１５と水平板１２との間の空間に消波構造物１６を配設する。【選択図】　　　図２
2004076312.tif 000002
【特許請求の範囲】
【請求項１】
海水の透過を許す支持体によって海面下の所定水深に支持された水平板と、
この水平板の波下側の端部近傍に立設され波の進行方向とほぼ直交し且つ上端部が海面上に突出する鉛直板と、
この鉛直板の海面上に突出した上端部から前記水平板と同じ方向に庇状に延ばされた天板と
を具備することを特徴とする透過型防波堤。
【請求項２】
前記水平板の波下側の端部と前記鉛直板の下端部との間に隙間が設けられていることを特徴とする請求項１記載の透過型防波堤。
【請求項３】
前記天板と水平板との間の空間に消波構造物が配設されていることを特徴とする請求項１または２記載の透過型防波堤。
【請求項４】
前記天板と水平板との間に、天板の荷重を支えると共に消波機能を有する支柱が設けられていることを特徴とする請求項１〜３のいずれかに記載の透過型防波堤。
【発明の詳細な説明】
【０００１】
【発明の属する技術分野】
本発明は、例えば、港湾内に海水交換（水域内外の海水の入れ替わり）の可能な静穏域を形成することのできる透過型防波堤に関する。
【０００２】
【従来の技術】
例えば、港湾内に静穏域を形成しようとする場合、港湾を取り囲むように防波堤が設置される。この場合、ケーソン式の防波堤を用いて海水の流れを完全に遮断すると、港湾内の水質が悪化することから、最近では海水交換の可能な透過型の防波堤や消波構造物の使用が進められている。
【０００３】
透過型の消波構造物の例として、特開平１０−１１４９２４号公報や特開平７−３２４３１９号公報に記載のものが知られている。前者の公報に記載の消波構造物は、開口列を有する傾斜板を、沖側から陸側に向かって上り勾配となるように、海水の透過を許すジャケット（支持体）を介して海面付近に支持したものである。また、後者の公報に記載の消波構造物は、水平板と鉛直板とからなるＬ型構造体を、海底に設置した透過型の支持枠によって海面付近に支持したものであり、水平板は海面下に位置し、鉛直板は海面下から海面上に突き出している。
【０００４】
【発明が解決しようとする課題】
ところで、前者の傾斜板式の消波構造物は、傾斜板上で波が破砕されるので、短周期の波に対しては十分な消波効果が期待できる。また、傾斜板の下側のジャケットが海水を透過するので、海水の交換性能も十分に期待できる。しかし、長周期の波に対する消波効果を得るには、海底付近にまで傾斜板を延ばす必要があり、そうなると、海水の交換も微量になる上、構造が大型化する問題がある。
【０００５】
また、後者のＬ型の消波構造物は、単に波を垂直に受ける鉛直板の他に、海面下に位置する水平板を設けているので、長周期の波に対しても高い防波効果を得ることができる。また、水平板の下側の支持枠が透過型であるので、海水の交換性能も十分に確保できる。しかし、波力による鉛直及び水平荷重が大きくなるため、支持枠を支持する杭に対して大きな引抜力が作用する。このため、杭や杭を支持する地盤が波力に耐えられなくなる場合がある。
【０００６】
また、最近では、砕波の際の波しぶきの飛散により塩害が発生する問題も指摘されているが、上記従来の消波構造物ではその点の配慮が不充分であった。
【０００７】
本発明は、上記事情を考慮し、良好な透過性を維持しながら長周期の波に対しても高い波力低減効果を奏することができると共に、杭の引抜力を軽減することができ、更に、塩害防止効果も奏することのできる透過型防波堤を提供することを目的とする。
【０００８】
【課題を解決するための手段】
請求項１の発明は、海水の透過を許す支持体によって海面下の所定水深に支持された水平板と、この水平板の波下側の端部近傍に立設され波の進行方向とほぼ直交し且つ上端部が海面上に突出する鉛直板と、この鉛直板の海面上に突出した上端部から前記水平板と同じ方向に庇状に延ばされた天板とを具備することを特徴とする。
【０００９】
この発明の透過型防波堤は、水平板と鉛直板を備えているので、長周期の波に対しても高い波力低減効果を有する。また、海水の透過を許す支持体によって水平板を海面下の所定水深に支持しているので、良好な透過性を有する。また、鉛直板の上端部に庇状に延びる天板を連設しているので、砕波による波しぶきの飛散を抑制することができ、塩害を防止することができる。また、天板の重量を水平板に加えることができるので、自重の増加により杭の引抜力の低減を図ることができ、杭強度の軽減が可能となる。
【００１０】
請求項２の発明は、請求項１において、前記水平板の波下側の端部と前記鉛直板の下端部との間に隙間が設けられていることを特徴とする。
【００１１】
この発明の透過型防波堤では、水平板の波下側の端部と鉛直板の下端部との間に隙間が設けられているので、その隙間を通して過大な波力を逃がすことができる。従って、本透過型防波堤が受ける鉛直荷重や水平荷重を低減することができる。
【００１２】
請求項３の発明は、請求項１または２において、前記天板と水平板との間の空間に消波構造物が配設されていることを特徴とする。
【００１３】
この発明の透過型防波堤では、天板と水平板との間の空間に消波構造物が配設されているので、防波効果に加えて消波効果を得ることができる。
【００１４】
請求項４の発明は、請求項１〜３のいずれかにおいて、前記天板と水平板との間に、天板の荷重を支えると共に消波機能を有する支柱が設けられていることを特徴とする。
【００１５】
この発明の透過型防波堤では、消波機能を有する支柱により天板を支持するので、天板の重量を大きくしても、その荷重を支柱を介して水平板に均して伝えることができる。従って、杭の引抜力を効果的に低減することができる。また、支柱自体が消波機能を果たすので、他の消波構造物を敢えて設けなくても、高い消波効果を得ることができる。
【００１６】
【発明の実施の形態】
以下、本発明の各実施形態を図面に基づいて説明する。
図１は本発明の第１実施形態の透過型防波堤１０Ａの側断面図である。図において、１は海底、２は海底地盤、３は海面であり、矢印Ａは波の進む方向を示している。
【００１７】
第１実施形態の透過型防波堤１０Ａは、海底１に設置され海水の透過を許す支持架台（支持体）１１と、支持架台１１によって海面下の所定水深に支持された水平板１２と、この水平板１２の波下側の端部１２ａの近傍に立設され、波の進行方向Ａとほぼ直交し且つ上端部１３ｂが海面３上に突出する鉛直板１３と、この鉛直板１３の海面３上に突出した上端部１３ｂから水平板１２と同じ方向に庇状に延ばされた天板１４とを具備している。水平板１２の波下側の端部１２ａと鉛直板１３の下端部１３ａとの間には、海水の流通を許す適当な大きさの隙間１４が設けられている。支持架台１１はジャケット等で構成され、海底地盤２に打設された杭５の頭部に結合されている。
【００１８】
このように構成された透過型防波堤１０Ａによれば、波力を受け止める鉛直板１３と水平板１２を備えているので、長周期の波に対しても高い波力低減効果を奏することができる。また、水平板１２と鉛直板１３と天板１５とからなるコ字形上部構造物を支持している支持架台１１が、海水の透過を許す構造のものであるから、防波堤１０Ａの内外の自由な海水の交換を可能とする。
【００１９】
また、鉛直板１３の上端部に庇状に延びる天板１５を連設しているから、砕波による波しぶきの飛散を抑制することができ、塩害を防止することができる。また、天板１５の重量が、鉛直板１３や水平板１２等を介して支持架台１１にかかるので、透過型防波堤１０Ａ自体の自重の増加により、杭５の引抜力の低減を図ることができる。また、水平板１２の波下側の端部１２ａと鉛直板１３の下端部１３ａとの間に隙間１４を確保しているので、その隙間１４を通して過大な波力を外に逃がすことができる。従って、波力による過大な荷重が杭５にかかるのを防ぐことができる。
【００２０】
なお、波力があまり強くない海域に設置する場合には、必ずしも前記の隙間１４は設けなくてもよく、その場合は、直接、水平板１２の波下側の端部１２ａと鉛直板１３の下端部１３ａとを連結すればよい。また、前記の隙間１４は、水平板１２の波下側の端部１２ａと鉛直板１３の下端部１３ａとを連結した場合に、その連結部やその近傍にスリットや開口などとして設けることもできる。
【００２１】
図２は本発明の第２実施形態の透過型防波堤１０Ｂの側断面図である。
この実施形態の透過型防波堤１０Ｂは、第１実施形態の透過型防波堤の天板１５と水平板１２との間の空間に、テトラポット等の消波構造物１６を追加して配設したものである。このように天板１５と水平板１２との間の空間に消波構造物１６を配設した場合、防波効果に加えて消波効果を得ることができる。
【００２２】
図３は本発明の第３実施形態の透過型防波堤１０Ｃの側断面図である。
この実施形態の透過型防波堤１０Ｃは、第１実施形態の透過型防波堤の天板の代わりに、より重量の大きな厚みのある天板１５Ｂを設け、その天板１５Ｂと水平板１２との間に、天板１５Ｂの荷重を支える適当数の支柱１７を追加して設けたものである。このように支柱１７を設けた場合、天板１５Ｂの重量を無理なく大きくすることができるので、天板１５Ｂによる大きな荷重を、支柱１７を介して水平板１２に均して伝えることができる。従って、杭５の引抜力をより効果的に低減することができる。また、多数本の支柱１７による消波効果も期待することができる。
【００２３】
図４は本発明の第４実施形態の透過型防波堤１０Ｄの側断面図である。
この実施形態の透過型防波堤１０Ｄは、天板１５を支える支柱１７をより太くして本数を増やすことにより、高い消波効果を奏するようにしたものである。このように太い支柱１７を多数本設けた場合、天板１５の上に更に別の重量の大きな構造物１５Ｃを載せることもでき、そうすることで、杭５の引抜力を大幅に低減することが可能となる。
【００２４】
図５は本発明の第５実施形態の透過型防波堤１０Ｅの側断面図である。
この実施形態の透過型防波堤１０Ｅは、天板１５Ｄを、波の来る方向に向かって下り傾斜させ、鉛直板１３の上端をそれに合わせて延長したものである。このように天板１５Ｄを下り傾斜させた場合、水平板１２と鉛直板１３と天板１５Ｄで囲む空間を、入口が狭くて奥が広がった空間にすることができるので、波力低減効果が増すと共に、波しぶきの飛散を一層効果的に防ぐことができる。
【００２５】
【発明の効果】
以上説明したように、請求項１の発明によれば、透過性の支持体で支持した水平板と鉛直板を有するので、良好な透過性を維持しながら長周期の波に対しても高い波力低減効果を奏することができる。また、天板を設けたことにより大幅な重量増が図れるので、杭の引抜力を軽減することができる。更に、天板により波しぶきの飛散防止が図れるので、塩害防止効果も奏することができる。
【００２６】
請求項２の発明によれば、水平板の波下側の端部と鉛直板の下端部との間に隙間を設けたので、その隙間を通して過大な波力を逃がすことができ、防波堤が受ける鉛直荷重や水平荷重を減らすことができる。
【００２７】
請求項３の発明によれば、天板と水平板との間の空間に消波構造物を配設したので、防波効果に加えて消波効果を得ることができる。
【００２８】
請求項４の発明によれば、天板と水平板との間に支柱を設けたので、天板の重量を大きくしても、その荷重を支柱を介して水平板に均して伝えることができ、杭の引抜力を効果的に低減することができる。また、支柱自体に消波機能を果たさせることもできる。
【図面の簡単な説明】
【図１】本発明の第１実施形態の透過型防波堤の側断面図である。
【図２】本発明の第２実施形態の透過型防波堤の側断面図である。
【図３】本発明の第３実施形態の透過型防波堤の側断面図である。
【図４】本発明の第４実施形態の透過型防波堤の側断面図である。
【図５】本発明の第５実施形態の透過型防波堤の側断面図である。
【符号の説明】
３　海面
１０Ａ，１０Ｂ，１０Ｃ，１０Ｄ，１０Ｅ　透過型防波堤
１１　支持架台（支持体）
１２　水平板
１２ａ　波下側の端部
１３　鉛直板
１３ａ　下端部
１３ｂ　上端部
１４　隙間
１５，１５Ｂ，１５Ｄ　天板
１６　消波構造物
１７　支柱
【図１】
2004076312.tif 000003
【図２】
2004076312.tif 000004
【図３】
2004076312.tif 000005
【図４】
2004076312.tif 000006
【図５】
2004076312.tif 000007